(57)【要約】【課題】組立て時、あるいは、拡張時に作業性が良くて、作業時間がかからず、品質管理が容易で、拡張にあたっては部品の最大装着可能数が大きいにもかかわらず当初から余分な容積や余分な保持具を必要としない経済的な電子計算機用シャーシを提供する。【解決手段】自立する板状のシャーシ１１の片面に、その面に平行してマザーボード２１を取付け、その裏面に電源装置２８や補助記憶装置２６、２７を保持する保持具１６、１７、１８を取付可能とし、かつ、それら装置に重ねて積層的に別の装置を増設するときに、既存の保持具に延長部を付加することにより追加装置を保持可能とする電子計算機用シャーシ。【選択図】        図４
2004234124.tif 000002
【特許請求の範囲】
【請求項１】
自立する板状部を主体とするシャーシであって、該板状部にマザーボードを取付けるとともに、電源装置と補助記憶装置を保持する保持具を取付可能とすることを特徴とする電子計算機用シャーシ。
【請求項２】
前記板状部の片面に該板状部に平行してマザーボードを取付け、該板状部の裏面に前記保持具を介して前記電源装置と補助記憶装置のいずれか、あるいは、両方を保持することを特徴とする請求項１記載の電子計算機用シャーシ。
【請求項３】
前記電子計算機用シャーシにすでに保持されている前記補助記憶装置に重ねて、別の補助記憶装置を保持可能とすることを特徴とする請求項１又は請求項２記載の電子計算機用シャーシ。
【請求項４】
前記電子計算機用シャーシにすでに保持されている前記補助記憶装置に重ねて、別の補助記憶装置を保持するに当たって、すでに取付けられている該補助記憶装置用の保持具に延長部を付加することにより別の補助記憶装置を保持可能とすることを特徴とする請求項３記載の電子計算機用シャーシ。
【請求項５】
前記板状部が自立用の脚を有することを特徴とする請求項１から請求項４のいずれかに記載の電子計算機用シャーシ。
【請求項６】
前記板状部が他の板状部材と組み合わすことにより自立可能とすることを特徴とする請求項１から請求項４のいずれかに記載の電子計算機用シャーシ。
【発明の詳細な説明】
【０００１】
【発明が属する技術分野】
本発明は、デスクトップ型パーソナルコンピュータなどに代表される電子計算機のシャーシに関するものである。
【０００２】
【従来の技術】
従来パーソナルコンピュータなどに代表される電子計算機、特に、一般にデスクトップ型と称される電子計算機は、金属板を折曲げて半箱形に作った筐体の中にマザーボード、電源装置、補助記憶装置等の部品を固定し、必要な結線を施した後、その筐体の開口部を蓋で覆うことによりその電子計算機本体を製作している。
筐体の大きさや内部の部品の配置はどのメーカの製品もほとんど同じで、筐体内のスペースの有効活用や拡張ボードの装着性の向上のために、いくつかの発明が既に開示されてはいるものの、いずれも部分的な改良にとどまっている（例えば、特許文献１参照。）。
【０００３】
【特許文献１】
特開２００２−９４１５号公報
【０００４】
【発明が解決しようとする課題】
この筐体の中に部品を取付ける構造では、電子計算機本体を組み立てるときに、大きさや向きが限られた開口部を通して各種の部品を筐体内に挿入し、保持具やボルトを用いてそれらを筐体に固定する作業を行い、さらにそれらの間の結線作業をする必要がある。その際に開口部が限られているので、筐体内部へのアクセスは限定され、外部から目視が十分できない部分もあり、作業性が悪くて、作業時間がかかり、ひいては、結線不良等を生じやすいという品質管理上の問題もあった。
【０００５】
また、最近では電子計算機分野の技術の進歩はめざましく、新しい形式の部品や同形式であっても高性能の部品が市場に次々と導入され、一方では使用者の電子計算機に対するニーズも日々変化しているので、一旦組立てられた電子計算機本体をそのまま使うのではなく部品を追加したり交換したりして機能の拡張や変更を図る頻度も高くなっている。
この場合にも、組立て時と同じ理由から、増設する部品を取付ける作業、あるいは、すでに取付けてある部品を取り外して交換部品を取付ける作業で同じ問題があった。
【０００６】
さらに、筐体内部に部品を取付ける構造であることから、筐体の大きさによりその中に取付け可能な部品の種類や数に制限を受けるという問題がある。
すなわち、本体部分を設計するに当たり、まず補助記憶装置等、それぞれの種類の部品について最大装着可能数を定めた上で筐体の設計・製作を行うが、一旦筐体が製作されてしまった後は設計時に定めた最大装着可能数の変更ができないので、機能の拡張をしようと思っても部品の増設をあきらめざるを得なかったり、あるいは、筐体外に増設部品を単独で設けて筐体との間に配線を行うことになり配置や取り扱いの不便を我慢しなければならないことになる。
その不便を軽減するため、将来の拡張性を考慮して最大装着可能数を多目に想定して筐体の設計を行うと、拡張を行わない場合には筐体は不必要に大きい容積を持つことになり、部品を取付ける保持具も不必要なものがあらかじめ設置されていたりして、不経済である。さらに、使用者にとっても電子計算機本体の配置にあたって不必要に広い場所を占有されるという不都合がある。
【０００７】
したがって、本発明が解決しようとする課題は、従来の筐体に替えて、電子計算機本体の組立て時、あるいは、拡張時に作業性が良くて、作業時間がかからず、品質管理が容易で、拡張にあたっては部品の最大装着可能数が大きいにもかかわらず当初から余分な容積や余分な保持具を必要としない経済的な電子計算機用シャーシを提供することにある。
【０００８】
【課題を解決するための手段】
上記課題を解決するため本発明は、筐体という内部へのアクセスや内部への目視が限定され、かつ、大きさも限られた空間の内部にではなくて、マザーボード、電源装置、補助記憶装置等の部品を保持させて電子計算機本体を構成する手段、すなわち、自立する板状部を主体とするシャーシであって、その板状部にマザーボードを取付けるとともに、電源装置と補助記憶装置のいずれか、あるいは、両方を保持する保持具を取付可能とすることを特徴とする電子計算機用シャーシである。
【０００９】
本発明のシャーシの板状部には、電子計算機本体の必須部品であるマザーボードが所定の保持具やボルトを用いて取付けられる。
電源装置と補助記憶装置は、それぞれ業界標準に従った寸法を有し、かつ、所定サイズの取付用の雌ねじを所定位置に有した筐体、あるいは、シャーシに収められているので、本発明のシャーシの板状部にはそれらに適した保持具を取付可能としておき、その取付けられた保持具と電源装置や補助記憶装置の筐体又はシャーシを取付用ボルトを用いて締めることにより固定する。
その電子計算機に必要とされる機能によっては、電源装置と補助記憶装置のいずれか、あるいは、両方が必要となるので、必要な装置に応じて必要な保持具を取付できるようにすればよい。
【００１０】
自立する板状のシャーシであるから、部品の取付や取り外しに当たっては、シャーシ面以外の全方向から部品に対してアクセスすること、及び、目視を行うことが可能であり、著しく作業性が向上し、作業時間も短くできる。作業性がよいことから部品間の接続不良等の問題も減り品質向上にも寄与する。しかも、シンプルな形状のシャーシであるから製作も容易で経済性も高い。
また、板状のシャーシに必要な部品を取付けていくだけであるから、将来の拡張性を考慮して当初より閉ざされた空きスペースを押さえておく必要はなく、拡張性を犠牲にすることなく筐体に比べて小型化でき経済的に電子計算機本体を構成できる。
さらに、電源装置や補助記憶装置の取付用保持具は、それら装置の必要数に応じて取付ければよいから、将来の拡張性を考慮して、最初から必要以上の保持具を設けておく必要はなく、この面からも経済的である。
なお、防塵や保全のために必要であれば、この様に構成された電子計算機本体を通気性のあるカバーで覆うこともあり得よう。
【００１１】
また、本発明の電子計算機用シャーシは、板状部の片面にその板状部に平行してマザーボードを取付け、その板状部の裏面に保持具を介して電源装置と補助記憶装置のいずれか、あるいは、両方を保持することを特徴とする。
【００１２】
シャーシを構成する板状部の片面にその板状部に平行してマザーボードを取付けるのは、スペーサ等を介してボルトで止めれば良く、極めて容易であり、かつ、しっかりと固定できる。
各種の拡張ボードは、従来通りマザーボードに取付けられた拡張スロットを介して、マザーボードに直角に取付けられるので、マザーボードを板状部に平行に取付け、そのシャーシ側と反対側の開放された面に拡張ボードを取付ける拡張スロットを設けることにより、拡張ボードの取付け作業はアクセスフリーとなり極めて容易になる。しかもマザーボードが板状部にしっかりと取付けられているので、ソケットによる結合作業が楽に行え、結線不良等の問題も減少して品質管理にも寄与する。
【００１３】
一方、マザーボードを取付けた板状部の裏面を利用して電源装置や補助記憶装置を取付けるので、板状部の両面を部品の取付けに有効利用でき、その結果として板状部の必要面積が小さくなり、シャーシ全体の大きさを低減できて経済的である。
なお、取付けられた部品の板状のシャーシ側の面へのアクセスや、板状のシャーシを挟んで取付けられるマザーボードと電源装置や補助記憶装置との間の配線のために必要に応じてシャーシに開口部を設けると良い。
【００１４】
さらに、本発明の電子計算機用シャーシは、すでにシャーシに保持されている補助記憶装置に重ねて、別の補助記憶装置を保持可能とすることを特徴とする。
【００１５】
すなわち、シャーシに取付けられた補助記憶装置の上に積層的に、一つ又は複数の他の補助記憶装置を取付けられるようにする。積層的に取付けられるようにすることにより、単に平面的に部品を取付ける場合に比べて、設計当初より板状部の面積を小さくすることができるので、場所を取らず、経済的である。
また、使用者が機能拡張を図る場合にも、シャーシの空きスペースを気にすることなく部品の増設が可能となる。すなわち、拡張にあたっては部品の最大装着可能数が極めて大きいにもかかわらず、筐体のように当初から余分な容量を抑えておく必要がないことになる。
【００１６】
また、本発明の電子計算機用シャーシは、シャーシにすでに保持されている補助記憶装置に重ねて、別の補助記憶装置を保持するに当たって、すでに取付けられている補助記憶装置用の保持具に延長部を付加することにより別の補助記憶装置を保持可能とすることを特徴とする。
【００１７】
補助記憶装置で一般に用いられるのは３．５インチ巾補助記憶装置と５インチ巾補助記憶装置のいずれかであるが、それぞれの筐体あるいはシャーシの寸法は業界標準により規格化されている。
そこで、同じものを２段、３段と積み重ねるには、１段目の部品を保持するために使用している保持具をそのまま延長して２段目、３段目の部品を保持できるようにすると、追加する部品のために別途保持具を固定するスペースを板状部に求める必要がないので、板状部の面積を小さくできて場所を取らず、経済的である。また、１段目用の保持具、２段目用の保持具、３段目用の保持具と、それぞれ全く異なる仕様で準備する必要もなく好都合であり、さらに、当初より将来の拡張を予想して余分な保持具を設置しておく必要が無く、この面からも経済的である。
【００１８】
さらに、本発明の電子計算機用シャーシは、その板状部が自立用の脚を有してもよいし、他の板状部材と組み合わすことにより自立可能としてもよい。
【００１９】
板状部を主体とするシャーシを自立させる方法としては、まず板状部に自立用の脚を取付ける方法が考えられる。脚としては、板状部の前後への転倒を防ぐように取付けられた数本の棒でもよいし、板状部の底部に直角に取付けられた一枚の板でも良い。
また、他の板状部材と組み合わせて、例えば、上から見たときにＴ字型になるように他の板を組み合わせたり、あるいは、全体として屏風状になるように複数の板を組み合わせて自立させても良い。
さらに、その両者を組み合わせることも考えられる。
なお、他の板状部材と組み合わせる場合には、電子計算機本体を構成する部品の一部をその他の板状部材に保持することも可能である。
【００２０】
【発明の実施の形態】
以下、本発明の実施の形態について図面を参照しながら説明をする。なお、本発明はかかる実施の形態に限定されず、本発明の範囲内でその具体的構造に種々の変更を加えて良いことは言うまでもない。
図１は、本発明の電子計算機用シャーシの第１の実施例のマザーボード取付け側から見た斜視図、また、図２は同実施例の補助記憶装置取付け側から見た斜視図であり、一部の保持具をすでに取付けた状態を示している。図３は同実施例の電子計算機用シャーシに部品を取り付けて構成された電子計算機本体の図１と同方向から見た斜視図、また、図４は同じく電子計算機本体の図２と同方向から見た斜視図を示す。図５には、取付けられた保持具の詳細を示す断面図である。
【００２１】
【実施例１】
本実施例の電子計算機用シャーシ１は、図１及び図２に示すように、板状部１１を主体とし、その板状部１１に取付けられた４本の脚１２により自立している。
板状部１１には、取付けられた部品のシャーシ側の面へのアクセスや、板状のシャーシを挟んで取付けられる部品間の配線のために開口部１１ａが適宜配置されている。
極めてシンプルな構造のシャーシなので、経済的であるばかりでなく、図３や図４を参照すれば容易に分かるように、アクセスがしやすく、作業に当たっては目視も十分に行き届き、作業性が向上し、作業時間も短くできる。作業性がよいことから部品間の接続不良等の問題も減り品質向上にも寄与する。
【００２２】
図１に示すマザーボード取付け側には、マザーボード取付け用のスペーサナット１３ａと、マザーボードに拡張スロットを介して取付けられる拡張ボードの保持具１４が取付けられている。
マザーボード取付け用のスペーサナット１３ａはスペーサの中に雌ネジを切ったもので、図３に示すように、マザーボード２１を所定の位置に設定した後、ボルト１３ｂで固定する。
一方、描画・通信等の各種拡張ボード２２は、マザーボード２１に取付けられている拡張スロット２３にその端子部分を挿入して取り付けた後、そのコネクター部分２２ａの一端に設けてあるネジ孔を用いてつまみネジ１４ａにより拡張カード保持具１４に固定する。
【００２３】
マザーボード取付け部の裏側は、図２と図４に示すように補助記憶装置等を取付けるスペースとなっている。この様に板状部１１の両面を有効に利用する配置を取ることにより、その必要面積が小さくなり、それに伴い自立させるための脚等の構造も小さくなり、シャーシ全体の大きさを低減できて経済的である。
【００２４】
図２に示す補助記憶装置取付け側には、５インチ巾補助記憶装置保持具１６、３．５インチ巾補助記憶装置保持具１７、および、電源装置保持具１８が取付けられるようになっている。
５インチ巾補助記憶装置保持具１６は、図４に示すように５インチ巾補助記憶装置２６を取付けたときに、それを挟む形で上下に２組設けられ、それぞれ、保持具本体１６ａ、スペーサナット１６ｂ、及び、ボルト１６ｃから成り、それらの関係は図５（ａ）の断面図の通りである。
５インチ巾補助記憶装置２６を２組の保持具１６の間に挿入した後、保持具本体１６ａに設けられたネジ穴１６ｄを利用して、ネジ１６ｅを締めて固定する。
【００２５】
本実施例では、図４に示すように３．５インチ巾補助記憶装置２７を左右に２台並べて配置できるように、その保持具１７は２台分用意されている。１台分の保持具は３．５インチ巾補助記憶装置２７を取付けたときに、それを挟む形で左右に２組設けられ、それぞれ、保持具本体１７ａ、スペーサナット１７ｂ、スペーサナット１７ｃ、ボルト１７ｄ、及び、全ネジボルト１７ｅから成り、それらの関係は図５（ｂ）の断面図の通りである。
５インチ巾補助記憶装置の場合と同様に、２組の保持具１７の間に３．５インチ巾補助記憶装置２７を挿入した後、保持具本体１７ａに設けられたネジ孔１７ｆを利用して、ネジ１７ｇを締めて固定する。
なお、本実施例では、板状部１１に取付けられた５インチ巾補助記憶装置２６の上に積層状に３．５インチ巾補助記憶装置２７が取付けられた状態を示している。そのために、中央よりに位置する３．５インチ巾補助記憶装置保持具１７のスペーサナット１７ｇの長さをスペーサナット１７ｂより保持具１６ａの高さだけ短くして調節している。
【００２６】
一方、補助記憶装置の下側には、電源装置２８の保持具１８が取付けられるようになっている。
電源装置保持具は、電源装置２８を取付けたときに、それを挟む形で一対１８ａ、１８ｂが配置され、それぞれに設けられたネジ孔１８ｃを利用して、ネジ１８ｄにより電源装置２８を固定する。
【００２７】
これらの保持具は、いずれもボルトでシャーシの板状部に固定されているので、電子計算機本体を構成する部品に必要な分だけシャーシに設置すれば良く、あらかじめ将来の拡張や変更を想定して、当面不必要なものを設けておく必要が無く経済的である。
【００２８】
図６（ａ）には、同じ実施例の電子計算機用シャーシ１を用いて３．５インチ巾補助記憶装置をさらに１台増設した事例を示す。
すなわち、すでに５インチ巾補助記憶装置２６の上に積層的に取付けられている２台の３．５インチ巾補助記憶装置２７の上に、さらにもう１台の３．５インチ巾補助記憶装置２７ａを設置する。そのため図６（ｂ）に示すように、すでに取付けられている３．５インチ用補助記憶装置保持具１７のスペーサナット１７ｃに全ネジボルト１７ｈを立て、それに増設する補助記憶装置２７ａ用の保持具本体１７ｉをはめ、スペーサナット１７ｊで締めて止める。新しい保持具本体１７ｉ、スペーサナット１７ｊ、及び、全ネジボルト１７ｈが、既存の保持具１７の延長部を構成する。
この新しい保持具本体１７ｉにネジ１７ｇを用いて新しい３．５インチ巾補助記憶装置２７ａを固定すればよい。
ここで、延長部を構成した保持具本体１７ｉ、スペーサナット１７ｊ、及び、全ネジボルト１７ｈは、それぞれ、既設の１７ａ、１７ｃ、及び、１７ｅと同じ物でよいから、数少ない種類の部品を活用して保持具の延長部を構成することができ、新しい部品の容易な増設が可能になる。
【００２９】
図７には、同じ実施例のシャーシ１を用いて５インチ巾補助記憶装置をさらに１台増設した事例を示す。
すなわち、すでに取付けられている５インチ巾補助記憶装置２６の上に、さらにもう１台の５インチ巾補助記憶装置２６ａを設置する。そのため図８（ａ）に示すように、すでに取付けられている５インチ用補助記憶装置保持具１６のスペーサナット１６ｂに全ネジボルト１６ｆを立て、それに増設する補助記憶装置２６ａ用の保持具本体１６ｇをはめ、スペーサナット１６ｈで締めて止める。新しい保持具本体１６ｇ、スペーサナット１６ｈ、及び、全ネジボルト１６ｆが、既存の保持具１６の延長部を構成する。
この新しい保持具本体１６ｇにネジ１６ｅを用いて新しい５インチ巾補助記憶装置２６ａを固定すればよい。
ここでも、延長部を構成した保持具本体１６ｇとスペーサナット１６ｈは、それぞれ、既設の１６ａ、１６ｂと同じ物でよいから、数少ない種類の部品を活用して保持具の延長部を構成することができ、新しい部品の容易な増設が可能になる。
なお、この５インチ巾補助記憶装置２６ａの増設に当たっては、すでに取付けられていた２台の３．５インチ巾補助記憶装置２７の保持具１７にも一部変更を要するが、図８（ｂ）に示すように、スペーサナット１７ｂを一本追加して全ネジボルト１７ｋを用いて繋ぐことにより２倍の長さにすれば良く、部品の種類を増やすことなく変更可能である。
【００３０】
【実施例２】
以上、実施例１について詳述したが、いろいろな実施の形態が考えられる。以下に、簡単に図を参照して説明する。
なお、以下の実施例の説明において、同じ機能を果たす類似形状の部材については同じ符号を付すことにする。
図９は、実施例１の４本の脚に替えて、板状部の底部に直角に一枚の板を取付けて脚３１としたケースである。
【００３１】
【実施例３】
図１０は、上から見たときにＴ字型になるように他の板状部材３２と組み合わせて自立するようにした実施例３を示す。
【００３２】
【実施例４】
図１１は、板状部１１に他の板状部材３３を屏風状になるように組み合わせて自立させ、かつ、板状部材３３にも電子計算機を構成する部品の一部を保持させられるように保持具３４を取付可能としてシャーシの機能を分担させた実施例４を示す。
【００３３】
【発明の効果】
以上に述べた通り、本発明の電子計算機用シャーシは、電子計算機本体の組立て時、あるいは、拡張時に作業性が良くて、作業時間がかからず、品質管理が容易である。また、シンプルな構造なので製作が容易で経済的である。
また、拡張にあたっては部品の最大装着可能数が大きいにもかかわらず当初から余分な容積や余分な保持具を設けることを必要としないので経済的である。
さらに、電子計算機の使用者にとっても、電子計算機本体の配置にあたって不必要に広い場所を占有されないと言う利点がある。
【図面の簡単な説明】
【図１】本発明の電子計算機用シャーシの第１の実施例のマザーボード取付け側から見た斜視図であり、一部保持具をすでに取付けた状態を示している。
【図２】同実施例の補助記憶装置取付け側から見た斜視図である。
【図３】同実施例の電子計算機用シャーシに部品を取り付けて構成された電子計算機本体の図１と同方向から見た斜視図である。
【図４】同じく電子計算機本体の図２と同方向から見た斜視図である。
【図５】同実施例で取付けられている保持具の詳細を示す断面図である。
【図６】同実施例の電子計算機用シャーシを用いて３．５インチ巾補助記憶装置をさらに１台増設した状況を示す斜視図である。
【図７】同実施例の電子計算機用シャーシを用いて５インチ巾補助記憶装置をさらに１台増設した状況を示す斜視図である。
【図８】上記補助記憶装置の増設にあたって延長された保持具の断面図である。
【図９】本発明の電子計算機用シャーシの第２の実施例のマザーボード取付け側から見た斜視図である。
【図１０】本発明の電子計算機用シャーシの第３の実施例のマザーボード取付け側から見た斜視図である。
【図１１】本発明の電子計算機用シャーシの第４の実施例のマザーボード取付け側から見た斜視図である。
【符号の説明】
１        電子計算機用シャーシ
１１        板状部
１１ａ      開口部
１２        脚
１３ａ      スペーサナット
１３ｂ      ボルト
１４        拡張ボード保持具
１６        ５インチ巾補助記憶装置保持具
１７        ３．５インチ巾補助記憶装置保持具
１８        電源装置保持具
２１        マザーボード
２２        拡張ボード
２３        拡張スロット
２６、２６ａ      ５インチ巾補助記憶装置
２７、２７ａ      ３．５インチ巾補助記憶装置
２８        電源装置
３１        脚
３２、３３        板状部材
【図１】
2004234124.tif 000003
【図２】
2004234124.tif 000004
【図３】
2004234124.tif 000005
【図４】
2004234124.tif 000006
【図５】
2004234124.tif 000007
【図６】
2004234124.tif 000008
【図７】
2004234124.tif 000009
【図８】
2004234124.tif 000010
【図９】
2004234124.tif 000011
【図１０】
2004234124.tif 000012
【図１１】
2004234124.tif 000013